(57)【特許請求の範囲】
【請求項１】
胴部上端から肩部２を介してキャップ嵌合用口頸部３を起立すると共に、胴部下方を除く部分を第１大外径筒部４に、かつ下方を有底の第１小外径筒部５として、該第１小外径筒部の上部周方向外面に複数の凹部６をほぼ等間隔に配設した内容器体１と、上記第１大外径筒部４外面へ嵌合させた第２大外径筒部１１下端から、第１小外径筒部５外面へ嵌合させて有底の第２小外径筒部１２を垂下し、上記各凹部の外方に位置する第２小外径筒部筒壁部分の上縁および左右両側を切割溝１４穿設により切離すと共に、その両側切割溝部分を底板１５まで垂直に延長してその切割溝が囲む部分をフック１３となし、又その各フックの上部内面から各凹部下面へ係合する突部１６を穿設すると共に、フックの下端部外面に第１係合突部１７を横設した外装筒体１０と、上記第２大外径筒部１１の下端面へ周壁２２上端面を接触させると共に、該周壁内面へ第２小外径筒部１２を嵌合させて、底壁２１外周から上記第２大外径筒部１１とほぼ同外径の周壁２２を起立し、該周壁の上部内面へ第２係合突部２３を周設した有底の袴状部材２０と、上記内容器体口頚部に嵌合させたキャップ２５とからなり、上記袴状部材２０は、外装筒体１０に対する引下げにより第２係合突部２３が第１係合突部１７を下方へ押下げることで、フック１３が外方へ揺動可能となし、このとき各凹部内から突部１６が離脱可能に形成したことを特徴とする詰め替え容器。
【請求項２】
外装筒体１０が有する各フック１３下端両側の切割溝１４を底板中心方向へ延長し、該延長部分間の底板外周部分に長孔１８を穿設して該長孔両端と上記切割溝延長部分との間の底板部分を弾性連結部１９，  １９としたことを特徴とする請求項１記載の詰め替え容器。
【発明の詳細な説明】
【０００１】
【産業上の利用分野】
本発明はいわゆるレフィル容器、即ち詰め替え容器に関する。
【０００２】
【従来の技術】
例えば化粧品収納容器は、装飾性、デザイン等にすぐれていることが要望されているが、使い棄て容器であるため低価格であることが必要である。そこで容器を二重容器状として、収納物入りの内容器を装飾性等にすぐれた外容器内へ収納し、収納物を使い終ったときは、外容器を外し、内容器を交換することで、外容器は反復して使用することが行われており、これをレフィル容器と称している。
【０００３】
上記レフィル容器として多くのものが知られているが、例えば胴部上端から肩部を介して口頚部を起立する内容器体と、該内容器体口頚部を頂板中央部に穿設した透孔に挿通させて、その頂板で内容器体の肩部を覆い、かつその頂板外周から垂下した第１周壁を内容器体胴部の上部外面へ嵌合させた肩覆合部材と、上記内容器体胴部を底板周縁から起立する第２周壁内へ収納させ、かつ第２周壁上端部を上記第１周壁に螺合させた有底筒体と、内容器体口頚部に嵌合させたキャップとで形成し、上記内容器体だけを交換するようにしたものが知られている。
【０００４】
【発明が解決しようとする課題】
上記従来のレフィルないし詰め替え容器は、内容器体口頚部に対する肩覆合部材の嵌合が径方向および上下方向において不安定となり易く、又肩覆合部材の第１周壁に対する有底筒体第２周壁の螺合がその締め過ぎ等で螺脱困難となることがあった。
【０００５】
本発明は内容器体と、該内容器体の胴部外面へ嵌合させる有底の外装筒体と、該筒体の下部外面へ嵌合させる有底の袴状部材と、内容器体口頚部へ嵌合させるキャップとからなり、各部材組付け状態では外装筒体下部に設けた複数のフックが内容器体胴部の下部外面に設けた凹部内へ係合して内容器体からの外装筒体の抜出しが防止されると共に、内容器体交換時には、上記外装筒体に対して袴状部材を引下げると上記各フックが凹部内から外れて、内容器体の抜出しおよび挿入による交換が可能としたもので、その交換後、袴状部材を押上げることで、再び各部材組付けを完了できるよう設けたものである。尚キャップも付け替えする。
【０００６】
【課題を解決するための手段】
第１の手段として胴部上端から肩部２を介してキャップ嵌合用口頸部３を起立すると共に、胴部下方を除く部分を第１大外径筒部４に、かつ下方を有底の第１小外径筒部５として、該第１小外径筒部の上部周方向外面に複数の凹部６をほぼ等間隔に配設した内容器体１と、上記第１大外径筒部４外面へ嵌合させた第２大外径筒部１１下端から、第１小外径筒部５外面へ嵌合させて有底の第２小外径筒部１２を垂下し、上記各凹部の外方に位置する第２小外径筒部筒壁部分の上縁および左右両側を切割溝１４穿設により切離すと共に、その両側切割溝部分を底板１５まで垂直に延長してその切割溝が囲む部分をフック１３となし、又その各フックの上部内面から各凹部下面へ係合する突部１６を穿設すると共に、フックの下端部外面に第１係合突部１７を横設した外装筒体１０と、上記第２大外径筒部１１の下端面へ周壁２２上端面を接触させると共に、該周壁内面へ第２小外径筒部１２を嵌合させて、底壁２１外周から上記第２大外径筒部１１とほぼ同外径の周壁２２を起立し、該周壁の上部内面へ第２係合突部２３を周設した有底の袴状部材２０と、上記内容器体口頚部に嵌合させたキャップ２５とからなり、上記袴状部材２０は、外装筒体１０に対する引下げにより第２係合突部２３が第１係合突部１７を下方へ押下げることで、フック１３が外方へ揺動可能となし、このとき各凹部内から突部１６が離脱可能に形成した。
【０００７】
第２の手段として、上記第１の手段を有すると共に外装筒体１０が有する各フック１３下端両側の切割溝１４を底板中心方向へ延長し、該延長部分間の底板外周部分に長孔１８を穿設して該長孔両端と上記切割溝延長部分との間の底板部分を弾性連結部１９，  １９とした。
【０００８】
【作用】
図１が示す状態で外装筒体１０下部に設けたフック１３の突部１６は、内容器体下部外面の凹部６内へ係合しており、又そのフック１３の外れを、外装筒体下部外面に嵌合させた袴状部材２０の周壁２２が防止するため、内容器体から外装筒体が外れることはない。
【０００９】
図２のように、図１の状態から袴状部材２０を引き下げると、フック１３の第１係合突部１７が袴状部材２０の第２係合突部２３により下方へ押下げられることで、各フックは外方へ揺動して凹部６から突部１６が外れる。よって該状態から外装筒体１０に対して内容器体１を引上げることで該内容器体を外すことが出来、又別の内容器体を図２のように押込みした後，袴状部材２０を外装筒体１０に対して押上げることで、図１のように、内容器体へ外装筒体等を組付けた状態にすることが出来る。
【００１０】
【実施例】
１は内容器体で、胴部上端から肩部２を介してキャップ嵌合用口頚部３を起立する。図示例では胴部を円筒状としているが多角形状とすることが出来る。その胴部は、下方を除く部分を第１大外径筒部４とし、かつ下方を有底の第１小外径筒部５とする。該第１小外径筒部は図示のように下部小径のテーパ状筒としてもよく、又下向き段部を介して上下同径の小外径筒としてもよい。第１小外径筒部５の上部周方向外面には、後述フック係合用の複数凹部６をほぼ等間隔に穿設している。尚口頚部内へ口栓７を嵌合させている。
【００１１】
１０は外装筒体で、上記第１大外径筒部４外面へ嵌合させた第２大外径筒部１１を有し、該筒部下端から第１小外径筒部５外面へ嵌合させた、有底の第２小外径筒部１２を垂下する。該第２小外径筒部には上記凹部６と同数のフック１３を設ける。該フックは、上記凹部６の外方に位置する第２小外径筒部筒壁部分の上縁および左右両側を切割溝１４穿設により切離すと共に、その両側切割溝部分をその第２小外径筒部の底板１５まで垂直に延長してその切割溝が囲む部分で形成する。そのフックの上部内面からは各凹部６下面へ係合する突部１６を突設すると共に、フック下端部の外面に第１係合突部１７を横設している。
【００１２】
２０は有底の袴状部材で、底壁２１外周から起立する周壁２２を第２小外径筒部１２外面へ嵌合させている。その周壁外径は既述第２大外径筒部１１とほぼ同外径とし、かつその周壁上端面を第２大外径筒部下端面へ接触させており、又その周壁上部内面には、既述第１係合突部先端円よりも小内径の内端円を有する第２係合突部２３を周設している。該袴状部材２０は第２小外径筒部１２に対して上下動可能であり、強く引下げることで図２が示すように第２係合部２３が第１係合突部１７を押下げることで各フック１３が外方へ揺動し、該揺動によりフックの突部１６が凹部６から外れるよう、従って該状態から外装筒体１０内から内容器体１を上方へ抜出し可能に形成する。
【００１３】
上記各フック１３の外方揺動を容易に行うためには、図４が示すように各フック下端両側の切割溝を底板１５中心方向へ延長すると共に、該延長部分間の底板外周部分に長孔１８を穿設して、その長孔両端と上記切溝延長部分との間の底板部分を弾性連結部１９，  １９とすればよく、このようにすることで、袴状部材２０を図２のように引下げして第２係合部２３で第１係合突部１７を押下げた際、弾性連結部１９，１９が弾性変形して各フック１３が外方へ揺動する。
【００１４】
２５は内容器体口頸部３外面へ螺合させたキャップである。
【００１５】
上記各部材のうち、外装筒体１０と、袴状部材２０と、キャップ２５とは、内容器体交換により長期使用するものであり、それ等は装飾、光沢等にすぐれた部材とする。内容器体１と口栓７とは交換用で低価格とする。尚各部材はすべて合成樹脂材で成形している。
【００１６】
【発明の効果】
本発明は既述構成とするもので、請求項１の場合は内容器体下方の凹部６内へ，外装筒体１０下部に設けたフック１３の突部１６を係合させ、かつその外装筒体の下部へ袴状部材２０を嵌合させたから、内容器体１から外装筒体１０が外れるおそれはなく、又そのフック１３は、上記内容器体凹部６の外方に位置する外装筒体第２小外径筒部１２の筒壁部分の上縁および左右両側を切割溝１４穿設により切離すと共に、その両側の切割溝部分を底板１５まで垂直に延長して、その切割溝が囲む部分で形成し、そのフックの下端部外面に第１係合突部１７を横設したから、上記第２小外径筒部１２外面へ周壁２２を嵌合させた有底袴状部材２０の引下げにより、その周壁上部内面に周設した第２係合突部２３が上記第１係合突部１７を押下げることで、各フック１３が弾性変形してその突部１６が凹部６から外れることとなり、よって外装筒体１０からの内容器体１の抜出しも容易に行うことが出来る。従って、又その内容器体の交換も容易である。更に、外装筒体の第２大外径筒部１１と袴状部材の周壁２２との各外径をほぼ同径にすると共にその周壁上端面を第２大外径筒部１１の下端面へ接触させたから、外装筒体１０と袴状部材２０とは同一部材の外見を呈することとなり、容器の外見を向上させることが出来る。
【００１７】
請求項２の場合は、上記効果を有すると共に有底袴状部材２０引下げ時に弾性連結部１９，  １９が弾性変形するため、フック１３の揺動が容易となる。
【図面の簡単な説明】
【図１】本発明容器の半断面図である。
【図２】袴状部材引下げ状態で示す、要部切欠き側面図である。
【図３】容器主要部材である、外装筒体の断面図である。
【図４】上記外装筒体の底面図である。
【符号の説明】
１…内容器体      ６…凹部          １０…外装筒体
２０…袴状部材
【図１】
0003593171.tif 000002
【図２】
0003593171.tif 000003
【図３】
0003593171.tif 000004
【図４】
0003593171.tif 000005